(57)【要約】【課題】  水平面に設けられた投写面上に映像を表示する場合において、ユーザの利便性を向上することを可能とする投写型映像表示装置を提供する。【解決手段】  投写型映像表示装置１００は、光源１０から出射される光を変調するDMD７０と、DMD７０から出射される光を水平面に設けられた投写面上に投写する投写光学系１１０とを備える。投写型映像表示装置１００は、少なくとも第１画面及び第２画面を投写面上に表示するようにDMD７０を制御する素子制御部３２０を備える。素子制御部３２０は、第１画面及び第２画面の向きを変更可能に構成される。【選択図】  図６
2011180260.tif 000002
【特許請求の範囲】
【請求項１】
光源から出射される光を変調する光変調素子と、前記光変調素子から出射される光を水平面に設けられた投写面上に投写する投写光学系とを備える投写型映像表示装置であって、
少なくとも第１画面及び第２画面を前記投写面上に表示するように前記光変調素子を制御する素子制御部を備え
前記素子制御部は、前記第１画面及び前記第２画面の向きを変更可能に構成されることを特徴とする投写型映像表示装置。
【請求項２】
前記第２画面は、前記投写型映像表示装置の操作者が視認すべき映像が表示される画面であることを特徴とする請求項１に記載の投写型映像表示装置。
【請求項３】
前記素子制御部は、前記第２画面で選択された映像と同期して、前記第２画面で選択された映像を前記第１画面に表示するように前記光変調素子を制御することを特徴とする請求項２に記載の投写型映像表示装置。
【請求項４】
前記素子制御部は、前記第２画面を前記第１画面に切り替えて、前記第２画面で選択された映像を前記第１画面に表示するように前記光変調素子を制御することを特徴とする請求項２に記載の投写型映像表示装置。
【請求項５】
前記素子制御部は、前記投写型映像表示装置の電源が投入されたときに外部記憶媒体が接続されていれば、前記外部記憶媒体に記憶された映像の一覧を前記第２画面に表示するように前記光変調素子を制御することを特徴とする請求項２に記載の投写型映像表示装置。
【請求項６】
前記投写型映像表示装置の操作者の位置を特定可能に構成された電源スイッチをさらに備え、
前記素子制御部は、前記電源スイッチによる電源投入によって特定される操作者の位置に応じて、前記第２画面に表示する映像の向きを制御することを特徴とする請求項２に記載の投写型映像表示装置。
【請求項７】
前記素子制御部は、前記投写型映像表示装置の電源が切断された後に、前記投写型映像表示装置の電源が投入された場合に、前記投写型映像表示装置の電源が切断されたときに表示されていた映像の位置に、前記投写型映像表示装置の電源が投入されたときの映像を表示するように前記光変調素子を制御することを特徴とする請求項１に記載の投写型映像表示装置。
【発明の詳細な説明】
【技術分野】
【０００１】
本発明は、光源から出射される光を変調する光変調素子と、光変調素子から出射される光を投写面上に投写する投写光学系とを備える投写型映像表示装置に関する。
【背景技術】
【０００２】
従来、光源から出射される光を変調する光変調素子と、光変調素子から出射される光を投写面上に投写する投写光学系とを備える投写型映像表示装置が知られている。
【０００３】
ここで、投写型映像表示装置には、外部メモリや携帯機器などの外部記憶媒体が接続可能である。例えば、外部記憶媒体が接続された際に、外部記憶媒体に記憶されたファイルをリストで表示する投写型映像表示装置が提案されている（例えば、特許文献１）。
【先行技術文献】
【特許文献】
【０００４】
【特許文献１】特開２００５−２１５１５８号公報
【発明の概要】
【発明が解決しようとする課題】
【０００５】
ところで、上述した投写型映像表示装置では、壁面などの垂直面に設けられた投写面上に映像を表示することが前提とされているため、投写面上に表示される映像の向きについては、何ら注意が払われていない。
【０００６】
一方で、近年では、机上などに設けられる水平面に設けられた投写面上に映像を表示する投写型映像表示装置が提案されている。このようなケースでは、投写面上に表示される映像を様々な向きから視認することが考えられる。
【０００７】
上述したように、上述した投写型映像表示装置では、投写面上に表示される映像の向きについては、何ら注意が払われていないため、ユーザの利便性が低下してしまう。
【０００８】
そこで、本発明は、上述した課題を解決するためになされたものであり、水平面に設けられた投写面上に映像を表示する場合において、ユーザの利便性を向上することを可能とする投写型映像表示装置を提供することを目的とする。
【課題を解決するための手段】
【０００９】
第１の特徴に係る投写型映像表示装置は、光源（光源１０）から出射される光を変調する光変調素子（DMD７０）と、前記光変調素子から出射される光を水平面に設けられた投写面上に投写する投写光学系（投写光学系１１０）とを備える。投写型映像表示装置は、少なくとも第１画面及び第２画面を前記投写面上に表示するように前記光変調素子を制御する素子制御部（素子制御部３２０）を備える。前記素子制御部は、前記第１画面及び前記第２画面の向きを変更可能に構成される。
【００１０】
第１の特徴において、前記第２画面は、前記投写型映像表示装置の操作者が視認すべき映像が表示される画面である。
【００１１】
第１の特徴において、前記素子制御部は、前記第２画面で選択された映像と同期して、前記第２画面で選択された映像を前記第１画面に表示するように前記光変調素子を制御する。
【００１２】
第１の特徴において、前記素子制御部は、前記第２画面を前記第１画面に切り替えて、前記第２画面で選択された映像を前記第１画面に表示するように前記光変調素子を制御する。
【００１３】
第１の特徴において、前記素子制御部は、前記投写型映像表示装置の電源が投入されたときに外部記憶媒体が接続されていれば、前記外部記憶媒体に記憶された映像の一覧を前記第２画面に表示するように前記光変調素子を制御する。
【００１４】
第１の特徴において、投写型映像表示装置は、前記投写型映像表示装置の操作者の位置を特定可能に構成された電源スイッチをさらに備える。前記素子制御部は、前記電源スイッチによる電源投入によって特定される操作者の位置に応じて、前記第２画面に表示する映像の向きを制御する。
【００１５】
第１の特徴において、前記素子制御部は、前記投写型映像表示装置の電源が切断された後に、前記投写型映像表示装置の電源が投入された場合に、前記投写型映像表示装置の電源が切断されたときに表示されていた映像の位置に、前記投写型映像表示装置の電源が投入されたときの映像を表示するように前記光変調素子を制御する。
【発明の効果】
【００１６】
本発明によれば、水平面に設けられた投写面上に映像を表示する場合において、ユーザの利便性を向上することを可能とする投写型映像表示装置を提供することができる。
【図面の簡単な説明】
【００１７】
【図１】第１実施形態に係る投写型映像表示装置１００の概略構成を示す図である。
【図２】第１実施形態に係る投写型映像表示装置１００の概略構成を示す図である。
【図３】第１実施形態に係る投写型映像表示装置１００の光学構成を説明するための図である。
【図４】第１実施形態に係る第１筐体２００Ａのスライドを説明するための図である。
【図５】第１実施形態に係る第１筐体２００Ａのスライドを説明するための図である。
【図６】第１実施形態に係る制御ユニット３００を示すブロック図である。
【図７】第１実施形態に係る第１表示例を説明するための図である。
【図８】第１実施形態に係る第１表示例を説明するための図である。
【図９】第１実施形態に係る第１表示例を説明するための図である。
【図１０】第１実施形態に係る第１表示例を説明するための図である。
【図１１】第１実施形態に係る第２表示例を説明するための図である。
【図１２】第１実施形態に係る第２表示例を説明するための図である。
【図１３】第１実施形態に係る第２表示例を説明するための図である。
【図１４】第１実施形態に係る第２表示例を説明するための図である。
【図１５】第１実施形態に係る第２表示例を説明するための図である。
【図１６】第１実施形態に係る第２表示例を説明するための図である。
【図１７】第１実施形態に係る第２表示例を説明するための図である。
【図１８】第１実施形態に係る第２表示例を説明するための図である。
【図１９】第１実施形態に係る第３表示例を説明するための図である。
【図２０】第１実施形態に係る第４表示例を説明するための図である。
【図２１】第１実施形態に係る第４表示例を説明するための図である。
【図２２】第１実施形態に係る第４表示例を説明するための図である。
【発明を実施するための形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る投写型映像表示装置は、光源から出射される光を変調する光変調素子と、光変調素子から出射される光を水平面に設けられた投写面上に投写する投写光学系とを備える。投写型映像表示装置は、少なくとも第１画面及び第２画面を前記投写面上に表示するように前記光変調素子を制御する素子制御部を備える。素子制御部は、第１画面及び第２画面の向きを変更可能に構成される。
【００２１】
実施形態では、素子制御部は、第１画面及び第２画面の向きを変更可能に構成される。従って、机上などに設けられる水平面に設けられた投写面上に映像を表示するケースなどのように、様々な方向からユーザが映像を視認することが想定される場合において、ユーザの利便性が向上する。
【００２２】
［第１実施形態］
（投写型映像表示装置の概略構成）
以下において、第１実施形態に係る投写型映像表示装置の概略構成について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２３】
図１及び図２に示すように、投写型映像表示装置１００は、筐体２００を有しており、投写面（不図示）に映像を投写する。筐体２００には、後述する投写光学系１１０から出射される光を透過する透過領域２１０が設けられる。
【００２４】
ここで、投写面は、図１に示すように、床面や机上などの水平面に設けられていてもよく、図２に示すように、壁面などの垂直面（例えば、スクリーン）に設けられてもよい。すなわち、投写型映像表示装置１００は、映像光を床面や机上などの水平面に投写するように配置されてもよく、映像光を壁面などの垂直面に投写するように配置されてもよい。
【００２５】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００２６】
（投写型映像表示装置の光学構成）
以下において、第１実施形態に係る投写型映像表示装置の光学構成について、図面を参照しながら説明する。図３は、第１実施形態に係る投写型映像表示装置１００の光学構成を主として示す図である。
【００２７】
図３に示すように、投写型映像表示装置１００は、投写光学系１１０と、照明光学系１２０と、冷却ファン１３０と、バッテリ１４０と、電源基板１５０と、主制御基板１６０と、操作基板１７０とを有する。また、投写型映像表示装置１００は、DMD７０と、反射プリズム８０とを有する。
【００２８】
また、筐体２００は、第１筐体２００Ａ及び第２筐体２００Ｂによって構成される。上述した透過領域２１０は、第１筐体２００Ａに設けられる。なお、第１筐体２００Ａの一部又は全部は、後述するように、第２筐体２００Ｂに収容可能に構成される。
【００２９】
投写光学系１１０は、DMD７０から出射された色成分光（映像光）を投写面に投写する。具体的には、投写光学系１１０は、投写レンズ群１１１と、反射ミラー１１２とを有する。
【００３０】
投写レンズ群１１１は、DMD７０から出射された色成分光（映像光）を反射ミラー１１２側に出射する。投写レンズ群１１１は、投写光学系１１０の光軸Ｌを中心とする略円形形状のレンズ、投写光学系１１０の光軸Ｌを中心とする略円形形状の一部分によって構成される形状（例えば、下半分の半円形状）のレンズなどを含む。
【００３１】
なお、投写レンズ群１１１に含まれるレンズの径は、反射ミラー１１２に近いほど大きいことに留意すべきである。
【００３２】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写光学系１１０の光軸Ｌを中心とする略円形形状の一部分によって構成される形状（例えば、下半分の半円形状）を有する。
【００３３】
反射ミラー１１２で集光された映像光は、筐体２００に設けられた透過領域２１０を透過する。筐体２００に設けられた透過領域２１０は、反射ミラー１１２によって映像光が集光される位置近傍に設けられることが好ましい。
【００３４】
照明光学系１２０は、光源１０と、ダイクロイックプリズム３０と、ロッドインテグレータ４０と、ミラー５１と、ミラー５２と、レンズ６１と、レンズ６２と、レンズ６３とを有する。
【００３５】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００３６】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３７】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００３８】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００３９】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００４０】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００４１】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４２】
ミラー５１及びミラー５２は、ロッドインテグレータ４０から出射された光をDMD７０に導くために、光の光路を折り曲げる反射ミラーである。
【００４３】
レンズ６１、レンズ６２及びレンズ６３は、光源１０から出射された色成分光の拡大を抑制しながら、色成分光をDMD７０上に略結像するリレーレンズである。
【００４４】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００４５】
バッテリ１４０は、投写型映像表示装置１００に供給すべき電力を蓄積する。
【００４６】
電源基板１５０は、バッテリ１４０に接続されており、ＡＣ電力をＤＣ電力に変換する電力変換回路を有する。
【００４７】
主制御基板１６０は、投写型映像表示装置１００の動作を制御する主制御回路（後述する制御ユニット３００）を有する。
【００４８】
操作基板１７０は、投写型映像表示装置１００に設けられる操作部（ボタンなど）に接続されており、操作部から入力される操作信号を主制御基板１６０（主制御回路）に伝達する。
【００４９】
DMD７０は、複数の微小ミラーによって構成されており、複数の微小ミラーは可動式である。各微小ミラーは、基本的に１画素に相当する。DMD７０は、各微小ミラーの角度を変更することによって、色成分光が有効光として投写光学系１１０側に導かれるように色成分光を反射するか否かを切り替える。
【００５０】
反射プリズム８０は、照明光学系１２０から出射される光をDMD７０側に透過する。一方で、反射プリズム８０は、DMD７０から出射される光を投写光学系１１０側に反射する。
【００５１】
なお、図４及び図５に示すように、第１筐体２００Ａは、第２筐体２００Ｂの内壁に沿ってスライド可能に構成される。反射ミラー１１２は、第１筐体２００Ａのスライドと連動して、回動軸Ｐを中心として回動する。
【００５２】
（制御ユニットの構成）
以下において、第１実施形態に係る制御ユニットについて、図面を参照しながら説明する。図６は、第１実施形態に係る制御ユニット３００を示すブロック図である。制御ユニット３００は、投写型映像表示装置１００に設けられており、投写型映像表示装置１００を制御する。
【００５３】
図６に示すように、制御ユニット３００は、操作インタフェース３１０と、素子制御部３２０とを有する。
【００５４】
なお、制御ユニット３００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎に入力される信号である。
【００５５】
操作インタフェース３１０は、操作部４００に接続されており、操作部４００から操作信号を取得する。なお、操作部４００は、投写型映像表示装置１００の電源のＯＮ／ＯＦＦを切り替えるための電源スイッチなどを有する。或いは、操作部４００は、十字ボタンなどを含んでもよい。例えば、十字ボタンは、投写型映像表示装置１００の操作者を特定するために用いられる。詳細には、投写型映像表示装置１００の操作者の位置を示す方向を十字ボタンで指定しながら電源スイッチをＯＮにすることによって、操作者の位置が特定される。
【００５６】
素子制御部３２０は、映像入力信号を映像出力信号に変換して、映像出力信号に基づいて、DMD７０を制御する。
【００５７】
第１実施形態では、素子制御部３２０は、少なくとも第１画面及び第２画面を投写面上に表示するようにDMD７０を制御する。また、素子制御部３２０は、第１画面及び第２画面の向きを変更可能に構成される。なお、第１画面及び第２画面は、ユーザが視認すべき映像が表示される画面である。また、第１画面は、投写型映像表示装置１００の操作者以外の視聴者が視認すべき映像が表示される画面であってもよい。第２画面は、投写型映像表示装置１００の操作者が視認すべき映像が表示される画面であってもよい。
【００５８】
なお、投写型映像表示装置１００の操作者が視認すべき映像が第２画面に表示される場合には、素子制御部３２０は、以下のように、第１画面及び第２画面を投写面上に表示するようにDMD７０を制御してもよい。
【００５９】
第１に、素子制御部３２０は、第１画面及び第２画面を同時に投写面に表示しながら、第２画面で選択された映像と同期して、第２画面で選択された映像を第１画面に表示するようにDMD７０を制御してもよい。
【００６０】
第２に、素子制御部３２０は、第２画面を第１画面に切り替えて、第２画面で選択された映像を第１画面に表示するようにDMD７０を制御してもよい。
【００６１】
第３に、素子制御部３２０は、投写型映像表示装置１００の電源が投入されたときに投写型映像表示装置１００に外部記憶媒体が接続されていれば、外部記憶媒体に記憶された映像の一覧を第２画面に表示するようにDMD７０を制御してもよい。
【００６２】
なお、外部記憶媒体は、フラッシュメモリなどの不揮発性メモリによって構成されるメモリ媒体、パーソナルコンピュータ、ハードディスクなどである。また、映像の一覧は、映像のサムネイルであってもよく、映像の名称の一覧であってもよい。
【００６３】
第４に、素子制御部３２０は、操作部４００の操作（電源スイッチ及び十字キー）を用いて投写型映像表示装置１００の電源が投入された場合に、操作部４００の操作によって特定される操作者の位置に応じて、第２画面の向きを制御してもよい。
【００６４】
第５に、素子制御部３２０は、投写型映像表示装置１００の電源が切断された後に、投写型映像表示装置１００の電源が投入された場合に、投写型映像表示装置１００の電源が切断されたときに表示されていた映像の位置に、投写型映像表示装置１００の電源が投入されたときの映像を表示するようにDMD７０を制御してもよい。
【００６５】
（第１画面及び第２画面の表示例）
以下において、第１実施形態に係る第１画面及び第２画面の表示例について、図面を参照しながら説明する。
【００６６】
（第１表示例）
第１表示例では、操作者及び視聴者の区別は特にない。例えば、図７に示すように、２つの画面が異なる向きで表示されてもよい。或いは、図８に示すように、４つの画面が異なる向きで表示されてもよい。
【００６７】
ここで、図８に示すように、４つの画面が異なる向きで表示される場合において、映像Ａ、映像Ｂ、映像Ｃ、映像Ｄ、映像Ｅを全ユーザが視認するケースについて考える。このようなケースにおいて、投写型映像表示装置１００は、各ユーザが正しい向きで映像Ａ〜映像Ｅを視認することができるように、映像の向きを変えながら映像を回覧するように構成されてもよい。例えば、図９に示すように、映像Ａ〜映像Ｄが表示されている場合に、図１０に示すように、映像Ｅを表示して、映像Ａを非表示にするケースについて例示する。このようなケースでは、映像Ｅを表示するとともに、映像Ｂ〜映像Ｄが表示される画面を切り替えるとともに、映像Ｃの向きが変更される。
【００６８】
（第２表示例）
第２表示例では、第１画面は、操作者以外の視聴者が視認すべき映像が表示される画面であり、第２画面は、操作者が視認すべき映像が表示される画面である。
【００６９】
具体的には、図１１〜図１３に示すように、第１画面には、視聴者の位置に応じて映像が表示され、第２画面には、操作者の位置に応じて映像が表示される。図１１〜図１３では、第１画面及び第２画面の向きの組み合わせ例が示されているが、これら以外の組み合わせで、第１画面及び第２画面が表示されてもよい。或いは、図１４に示すように、第２画面は、複数の領域に分割して表示されてもよい。
【００７０】
ここで、操作者の位置に応じて、第２画面の向きを制御するケースでは、例えば、図１１〜図１４に示すように、操作者が視認する向きで第２画面が表示される。なお、操作者の位置は、上述したように、例えば、操作部４００の操作（電源スイッチ及び十字キー）を用いて投写型映像表示装置１００の電源が投入された場合に、操作部４００の操作によって特定される。
【００７１】
また、第２画面には、図１５に示すように、映像のサムネイルが表示されてもよい。或いは、第２画面には、図１６に示すように、映像の名称や属性の一覧が表示されてもよい。或いは、第２画面には、図１７に示すように、投写型映像表示装置１００の操作メニューの一覧（「画質」、「映像」、「設定」など）が表示されてもよい。
【００７２】
さらに、図１８に示すように、操作部４００の操作などによって、投写面における第２画面の位置及び向きが切り替え可能に構成されていてもよい。なお、操作部４００の操作などによって、投写面における第２画面のサイズが切り替え可能に構成されていてもよい。
【００７３】
（第３表示例）
第３表示例では、第１画面は、操作者以外の視聴者が視認すべき映像が表示される画面であり、第２画面は、操作者が視認すべき映像が表示される画面である。
【００７４】
ここで、図１９に示すように、第１画面及び第２画面は、同時に投写面上に表示される。また、第２画面には、複数の映像候補が表示される。第１画面には、第２画面で選択された映像候補と同期して、第２画面で選択された映像候補が表示される。
【００７５】
例えば、図１９に示すように、第２画面において、映像“２”が選択された場合に、第１画面には、第２画面で選択された映像“２”と同期して、映像“２”が表示される。同様に、第２画面において、映像“４”が選択された場合に、第１画面には、第２画面で選択された映像“４”と同期して、映像“４”が表示される。
【００７６】
（第４表示例）
第４表示例では、第１画面は、操作者以外の視聴者が視認すべき映像が表示される画面であり、第２画面は、操作者が視認すべき映像が表示される画面である。
【００７７】
ここで、図２０及び図２１に示すように、第１画面及び第２画面は、同時ではなくて、別々に投写面上に表示される。また、第２画面には、複数の映像候補が表示される。第２画面で映像が選択された場合に、第２画面を第１画面に切り替えて、第２画面で選択された映像が第１画面に表示される。
【００７８】
例えば、図２０に示すように、第２画面において、映像のサムネイルの中から、映像“５”が選択された場合に、第２画面を第１画面に切り替えて、第２画面で選択された映像“５”が第１画面に表示される。
【００７９】
或いは、図２１に示すように、第２画面において、映像の名称や属性の一覧の中から、映像“Ｂ”が選択された場合に、第２画面を第１画面に切り替えて、第２画面で選択された映像“Ｂ”が第１画面に表示される。
【００８０】
なお、操作部４００の操作などによって、第１画面の向きが切り替え可能に構成されていてもよい。例えば、図２２に示すように、操作者及び視聴者が投写面に対して同じ側に位置する場合には、第１画面及び第２画面が同じ向きに表示されてもよい。
【００８１】
（作用及び効果）
第１実施形態では、素子制御部３２０は、第１画面及び第２画面の向きを変更可能に構成される。従って、机上などに設けられる水平面に設けられた投写面上に映像を表示するケースなどのように、様々な方向からユーザが映像を視認することが想定される場合において、ユーザの利便性が向上する。
【００８２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８３】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよい。
【符号の説明】
【００８４】
１０…光源、３０…ダイクロイックプリズム、４０…ロッドインテグレータ、５１〜５２…ミラー、６１〜６３…レンズ、７０…DMD、８０…反射プリズム、１００…投写型映像表示装置、１１０…投写光学系、１１１…投写レンズ群、１１２…反射ミラー、１２０…照明光学系、１３０…冷却ファン、１４０…バッテリ、１５０…電源基板、１６０…主制御基板、１７０…操作基板、２００…筐体、２００Ａ…第１筐体、２００Ｂ…第２筐体、２１０…透過領域、３００…制御ユニット、３１０…操作部インタフェース、３２０…素子制御部、４００…操作部
【図１】
2011180260.tif 000003
【図２】
2011180260.tif 000004
【図３】
2011180260.tif 000005
【図４】
2011180260.tif 000006
【図５】
2011180260.tif 000007
【図６】
2011180260.tif 000008
【図７】
2011180260.tif 000009
【図８】
2011180260.tif 000010
【図９】
2011180260.tif 000011
【図１０】
2011180260.tif 000012
【図１１】
2011180260.tif 000013
【図１２】
2011180260.tif 000014
【図１３】
2011180260.tif 000015
【図１４】
2011180260.tif 000016
【図１５】
2011180260.tif 000017
【図１６】
2011180260.tif 000018
【図１７】
2011180260.tif 000019
【図１８】
2011180260.tif 000020
【図１９】
2011180260.tif 000021
【図２０】
2011180260.tif 000022
【図２１】
2011180260.tif 000023
【図２２】
2011180260.tif 000024